(57)【要約】  二次電池用ケース及び二次電池が提供される。本発明によれば、電極組立体の厚さに対応する幅Ｗを有し、下方に湾入している湾入部；ケースを展開したとき、前記湾入部の周縁に形成される密封部；を含み、前記密封部は、少なくとも一部が互いに付着されて前記湾入部の内側面を外部から密封する二次電池用ケースが提供される。
2021518978.tif 000002
【特許請求の範囲】
【請求項１】
電極と分離膜が交互に配置された構造を有する電極組立体が収容されることができる二次電池用ケースであって、
前記電極組立体の厚さに対応する幅Ｗを有し、下方に湾入している湾入部；
前記ケースを展開したとき、前記湾入部の周縁に形成される密封部；を含み、
前記密封部は、少なくとも一部が互いに付着されて前記湾入部の内側面を外部から密封する二次電池用ケース。
【請求項２】
前記湾入部と隣接して備えられ、前記ケースを展開したとき、前記湾入部の反対方向の外側に向かって下方に傾いた面が形成される傾斜部；をさらに含み、
前記ケースを展開したとき、前記密封部は、前記湾入部と前記傾斜部の周縁を囲むように形成される、請求項１に記載の二次電池用ケース。
【請求項３】
前記傾斜部は、
前記ケースを展開したとき、前記湾入部の一側に備えられる第１傾斜部；及び
前記ケースを展開したとき、前記湾入部の他側に備えられる第２傾斜部；を含む、請求項２に記載の二次電池用ケース。
【請求項４】
前記ケースを展開したとき、前記第１傾斜部と前記密封部との間の段差の高さＤ１と、前記第２傾斜部と前記密封部との間の段差の高さＤ２の和は、前記湾入部の幅Ｗに対応する、請求項３に記載の二次電池用ケース。
【請求項５】
前記密封部には、前記密封部が折り曲げられる線である折曲線Ｌが形成され、
前記折曲線Ｌは、
前記第１傾斜部、前記湾入部及び前記密封部が互いに会う地点から外側方向に延びる第１折曲線Ｌ１；
前記第２傾斜部、前記湾入部及び前記密封部が互いに会う地点から外側方向に延び、前記第１折曲線Ｌ１と会う第２折曲線Ｌ２；及び
前記第１折曲線Ｌ１と前記第２折曲線Ｌ２が互いに会う地点から外側方向に延びる第３折曲線Ｌ３；を含む、請求項３または４に記載の二次電池用ケース。
【請求項６】
前記折曲線Ｌは、
前記第１折曲線、前記第２折曲線及び前記第３折曲線が会う地点から前記第１傾斜部及び前記第２傾斜部に沿って延びる第４折曲線Ｌ４；をさらに含む、請求項５に記載の二次電池用ケース。
【請求項７】
前記密封部のうち前記第４折曲線Ｌ４を基準に外側に形成された領域は、前記密封部の他の領域と互いに付着される、請求項６に記載の二次電池用ケース。
【請求項８】
前記ケースを展開したとき、前記密封部には、前記湾入部が湾入する方向に湾入している密封湾入部が形成され、
前記密封湾入部は、前記湾入部と並んで形成され、
前記密封湾入部の幅Ｗ１は、前記湾入部の幅Ｗに対応する、請求項３〜７の何れか一項に記載の二次電池用ケース。
【請求項９】
前記密封湾入部は、
前記湾入部とそれぞれ隣接して備えられる第１湾入面及び第２湾入面；を含み、
前記第１湾入面と前記第２湾入面は、互いに会ってＶ字形状を形成し、
前記密封部には、前記密封部が折り曲げられる線である折曲線Ｌ’が形成され、
前記折曲線Ｌ’は、
前記第１湾入面と、前記密封部のうち前記第１傾斜部と隣接した領域との境界に形成される第１折曲線Ｌ’１；
前記第２湾入面と、前記密封部のうち前記第２傾斜部と隣接した領域との境界に形成される第２折曲線Ｌ’２；及び
前記第１湾入面と前記第２湾入面との境界に形成される第３折曲線Ｌ’３；を含む、請求項８に記載の二次電池用ケース。
【請求項１０】
前記折曲線Ｌ’は、
前記第３折曲線Ｌ’３の一地点から前記第１傾斜部及び前記第２傾斜部に沿って両方向に延びる第４折曲線Ｌ’４；をさらに含む、請求項９に記載の二次電池用ケース。
【請求項１１】
前記密封部のうち前記第４折曲線Ｌ’４を基準に外側に形成された領域は、前記密封部の他の領域と互いに付着される、請求項１０に記載の二次電池用ケース。
【請求項１２】
前記密封湾入部は、
前記湾入部とそれぞれ隣接して備えられる第３湾入面及び第４湾入面；を含み、
前記第３湾入面と前記第４湾入面は、互いに会ってＶ字形状を形成し、
前記第３湾入面は、
前記湾入部から前記第４湾入面に向かっては下方に傾くように形成されながら、前記密封部の外側方向に向かっては上方に傾くように形成される第１傾斜湾入面；及び
前記第１傾斜湾入面から外側に向かって平らに延びて形成される第２傾斜湾入面；を含み、
前記第４湾入面は、
前記湾入部から前記第３湾入面及び外側に向かって上方に傾くように形成される第３傾斜湾入面；及び
前記第３傾斜湾入面から外側に向かって延びて形成される第４傾斜湾入面；を含む、請求項８〜１１の何れか一項に記載の二次電池用ケース。
【請求項１３】
前記密封湾入部には、前記密封部が折り曲げられる線である折曲線Ｌ”が形成され、
前記折曲線Ｌ”は、
前記第３湾入面と、前記密封部のうち前記第１傾斜部と隣接した領域との境界に形成される第１折曲線Ｌ”１；
前記第４湾入面と、前記密封部のうち前記第２傾斜部と隣接した領域との境界に形成される第２折曲線Ｌ”２；及び
前記第３湾入面と前記第４湾入面との境界に形成される第３折曲線Ｌ”３；を含む、請求項１２に記載の二次電池用ケース。
【請求項１４】
前記折曲線Ｌ”は、
前記第３折曲線Ｌ”３の一地点から前記第１傾斜部及び前記第２傾斜部に沿って延びる第４折曲線Ｌ”４；をさらに含む、請求項１３に記載の二次電池用ケース。
【請求項１５】
前記密封部のうち前記第４折曲線Ｌ”４を基準に外側に形成された領域は、前記密封部の他の領域と互いに付着される、請求項１４に記載の二次電池用ケース。
【請求項１６】
前記ケースを展開したとき、前記傾斜部は前記湾入部の一側に備えられ、
前記ケースを展開したとき、前記湾入部の他側に備えられ、平らな面が形成される平面部；をさらに含む、請求項２〜１５の何れか一項に記載の二次電池用ケース。
【請求項１７】
前記ケースを展開したとき、前記傾斜部と前記湾入部との間に備えられ、平らな面が形成される平面部；をさらに含む、請求項２〜１６の何れか一項に記載の二次電池用ケース。
【請求項１８】
電極組立体；及び
請求項１〜１７の何れか一項に記載の二次電池用ケース；を含む二次電池。
【発明の詳細な説明】
【技術分野】
【０００１】
［関連出願の相互参照］
本出願は、２０１９年３月４日付韓国特許出願第１０−２０１９−００２４８４５号に基づく優先権の利益を主張し、当該韓国特許出願の文献に開示された全ての内容は本明細書の一部として含まれる。
【０００２】
本発明は、二次電池用ケース及び二次電池に関し、従来に比べ、二次電池が占める体積を減らすことができる構造を有する二次電池用ケース及び二次電池に関する。
【背景技術】
【０００３】
繰り返して充電及び放電が可能な二次電池は、その製造方法または構造によって円筒型、角型、パウチ型などに区別され得る。このうち、パウチ型二次電池は、シート状のパウチ外装材内に電極と分離膜が交互に配置された構造を有する電極組立体が収容された構造を有することが一般的である。
【０００４】
従来の技術によれば、パウチ型二次電池を製造するためには、シート状のパウチのうち一部領域を電極組立体の面積に対応する面積ほど加圧して湾入した形状のコップ（ｃｕｐ）を形成するフォーミング（ｆｏｒｍｉｎｇ）工程を経た後、パウチに形成されたコップに電極組立体を搭載する。その後、パウチの一部領域を互いに付着して密封部を形成するようになる。
【０００５】
パウチの一部領域が互いに付着されて形成される密封部は、フォーミング工程で加圧されない領域が互いに付着されることにより形成される。したがって、フォーミングが行われていない密封部とフォーミングが行われたコップとの間の段差により、密封部のうち一部領域はコップの幅を外れることになる。図１には、従来の技術により製造されたパウチ型二次電池１のパウチ２の上部と下部に形成される密封部３のうち一部領域が、電極組立体が収容されたコップの幅をＰだけ外れて突出された姿が示されている。
【０００６】
このように突出された領域は、二次電池で容量に寄与しないデッドスペース（ｄｅａｄ  ｓｐａｃｅ）が増加する原因として作用し、結果として、二次電池のエネルギー密度が低下するという問題点をもたらした。
【発明の概要】
【発明が解決しようとする課題】
【０００７】
したがって、本発明が解決しようとする課題は、従来の技術によって製造されるパウチ型二次電池の密封部に発生するデッドスペースを除去することにより、二次電池のエネルギー密度を増大させることである。
【課題を解決するための手段】
【０００８】
前記目的を達成するための本発明の一側面によれば、電極と分離膜が交互に配置された構造を有する電極組立体が収容され得る二次電池用ケースであって、前記電極組立体の厚さに対応する幅Ｗを有し、下方に湾入している湾入部；前記ケースを展開したとき、前記湾入部の周縁に形成される密封部；を含み、前記密封部は、少なくとも一部が互いに付着されて前記湾入部の内側面を外部から密封する二次電池用ケースが提供される。
【０００９】
前記湾入部と隣接して備えられ、前記ケースを展開したとき、前記湾入部の反対方向の外側に向かって下方に傾いた面が形成される傾斜部；をさらに含み、前記ケースを展開したとき、前記密封部は、前記湾入部と前記傾斜部の周縁を囲むように形成されてよい。
【００１０】
前記傾斜部は、前記ケースを展開したとき、前記湾入部の一側に備えられる第１傾斜部；及び前記ケースを展開したとき、前記湾入部の他側に備えられる第２傾斜部；を含んでよい。
【００１１】
前記ケースを展開したとき、前記第１傾斜部と前記密封部との間の段差の高さＤ１と、前記第２傾斜部と前記密封部との間の段差の高さＤ２との和は、前記湾入部の幅Ｗに対応され得る。
【００１２】
前記密封部には、前記密封部が折り曲げられる線である折曲線Ｌが形成され、前記折曲線Ｌは、前記第１傾斜部、前記湾入部及び前記密封部が互いに会う地点から外側方向に延びる第１折曲線Ｌ１；前記第２傾斜部、前記湾入部及び前記密封部が互いに会う地点から外側方向に延び、前記第１折曲線Ｌ１と会う第２折曲線Ｌ２；及び前記第１折曲線Ｌ１と前記第２折曲線Ｌ２が互いに会う地点から外側方向に延びる第３折曲線Ｌ３；を含んでよい。
【００１３】
前記折曲線Ｌは、前記第１折曲線、第２折曲線及び第３折曲線が会う地点から前記第１傾斜部及び前記第２傾斜部に沿って延びる第４折曲線Ｌ４；をさらに含んでよい。
【００１４】
前記密封部のうち前記第４折曲線Ｌ４を基準に外側に形成された領域は、前記密封部の他の領域と互いに付着されてよい。
【００１５】
前記ケースを展開したとき、前記密封部には、前記湾入部が湾入する方向に湾入している密封湾入部が形成され、前記密封湾入部は、前記湾入部と並んで形成され、前記密封湾入部の幅Ｗ１は、前記湾入部の幅Ｗに対応され得る。
【００１６】
前記密封湾入部は、前記湾入部とそれぞれ隣接して備えられる第１湾入面及び第２湾入面；を含み、前記第１湾入面と前記第２湾入面は互いに会ってＶ字形状を形成し、前記密封部には、前記密封部が折り曲げられる線である折曲線Ｌ’が形成され、前記折曲線Ｌ’は、前記第１湾入面と、前記密封部のうち前記第１傾斜部と隣接した領域との境界に形成される第１折曲線Ｌ’１；前記第２湾入面と、前記密封部のうち前記第２傾斜部と隣接した領域との境界に形成される第２折曲線Ｌ’２；及び前記第１湾入面と前記第２湾入面との境界に形成される第３折曲線Ｌ’３；を含んでよい。
【００１７】
前記折曲線Ｌ’は、前記第３折曲線Ｌ’３の一地点から前記第１傾斜部及び前記第２傾斜部に沿って両方向に延びる第４折曲線Ｌ’４；をさらに含んでよい。
【００１８】
前記密封部のうち前記第４折曲線Ｌ’４を基準に外側に形成された領域は、前記密封部の他の領域と互いに付着されてよい。
【００１９】
前記密封湾入部は、前記湾入部とそれぞれ隣接して備えられる第３湾入面及び第４湾入面；を含み、前記第３湾入面と前記第４湾入面は互いに会ってＶ字形状を形成し、前記第３湾入面は、前記湾入部から前記第４湾入面に向かっては下方に傾くように形成されながら、前記密封部の外側方向に向かっては上方に傾くように形成される第１傾斜湾入面；及び前記第１傾斜湾入面から外側に向かって平らに延びて形成される第２傾斜湾入面；を含み、前記第４湾入面は、前記湾入部から前記第３湾入面及び外側に向かって上方に傾くように形成される第３傾斜湾入面；及び前記第３傾斜湾入面から外側に向かって延びて形成される第４傾斜湾入面；を含んでよい。
【００２０】
前記密封湾入部には、前記密封部が折り曲げられる線である折曲線Ｌ”が形成され、前記折曲線Ｌ”は、前記第３湾入面と、前記密封部のうち前記第１傾斜部と隣接した領域との境界に形成される第１折曲線Ｌ”１；前記第４湾入面と、前記密封部のうち前記第２傾斜部と隣接した領域との境界に形成される第２折曲線Ｌ”２；及び前記第３湾入面と前記第４湾入面の境界に形成される第３折曲線Ｌ”３；を含んでよい。
【００２１】
前記折曲線Ｌ”は、前記第３折曲線Ｌ”３の一地点から前記第１傾斜部及び前記第２傾斜部に沿って延びる第４折曲線Ｌ”４；をさらに含んでよい。
【００２２】
前記密封部のうち前記第４折曲線Ｌ”４を基準に外側に形成された領域は、前記密封部の他の領域と互いに付着されてよい。
【００２３】
前記ケースを展開したとき、前記傾斜部は、前記湾入部の一側に備えられ、前記ケースを展開したとき、前記湾入部の他側に備えられ、平らな面が形成される平面部；をさらに含んでよい。
【００２４】
前記ケースを展開したとき、前記傾斜部と前記湾入部との間に備えられ、平らな面が形成される平面部；をさらに含んでよい。
【００２５】
前記目的を達成するための本発明の他側面によれば、電極組立体；及び前記二次電池用ケース；を含む二次電池が提供される。
【発明の効果】
【００２６】
本発明によれば、パウチ型二次電池の密封部で発生するデッドスペースを除去できるようになるので、二次電池のエネルギー密度が増大され得る。
【図面の簡単な説明】
【００２７】
【図１】従来の技術によって製造された二次電池の構造を示した図である。
【図２】本発明の第１実施形態による二次電池用ケースを展開したときの姿を示した斜視図である。
【図３】図２のＡ−Ａ線に沿って切断された二次電池用ケースの姿を示した断面図である。
【図４】本発明の第１実施形態による二次電池用ケースにおいて、密封部が互いに付着されたときの密封部及び密封部周辺の姿を示した斜視図である。
【図５】本発明の第２実施形態による二次電池用ケースを展開したときの姿を示した斜視図である。
【図６】図５のＢ−Ｂ線に沿って切断された二次電池用ケースの姿を示した断面図である。
【図７】本発明の第２実施形態による二次電池用ケースにおいて、密封部が互いに付着されたときの密封部及び密封部周辺の姿を示した斜視図である。
【図８】本発明の第３実施形態による二次電池用ケースを展開したときの姿を示した斜視図である。
【図９】図８のＣ−Ｃ線に沿って切断された二次電池用ケースの姿を示した断面図である。
【図１０】本発明の第３実施形態による二次電池用ケースにおいて、密封部が互いに付着されたときの密封部及び密封部周辺の姿を示した斜視図である。
【図１１】本発明に係る二次電池用ケースの第１変形例を示した断面図である。
【図１２】本発明に係る二次電池用ケースの第２変形例を示した断面図である。
【発明を実施するための形態】
【００２８】
以下、図面を参考にして本発明に係る二次電池用ケース及び二次電池の構造を説明する。
【００２９】
（二次電池用ケース）
図２は、本発明の第１実施形態による二次電池用ケースを展開したときの姿を示した斜視図である。図３は、図２のＡ−Ａ線に沿って切断された二次電池用ケースの姿を示した断面図である。
【００３０】
本発明に係る二次電池用ケース１０はシート状外装材であってよく、本発明に係る二次電池はパウチ型二次電池であってよい。
【００３１】
図２に示すように、本発明の第１実施形態による二次電池用ケース１０は、電極と分離膜が交互に配置された構造を有する電極組立体（図示せず）を収容するための構成であってよい。
【００３２】
本発明の第１実施形態による二次電池用ケース１０は所定の幅Ｗを有し、下方に湾入している湾入部１００を含んでよい。湾入部１００が有する所定の幅Ｗは、ケース１０内部に収容される電極組立体の厚さに対応され得る。「湾入部が有する所定の幅は、ケース内部に収容される電極組立体の厚さに対応」されるということは、湾入部１００の幅と電極組立体の厚さが同一である場合だけでなく、電極組立体が厚さ方向にケース１０の湾入部１００に挟まれ得る程度の差がある場合も含むものと解釈され得る。
【００３３】
次いで、図２を参考にすれば、本発明に係るケース１０は密封部３００を含んでよい。密封部３００は、互いに付着されることにより、二次電池でケース１０内部の電極組立体を外部から密封する構成であってよい。また、密封部３００は、互いに付着されることにより、湾入部１００の内側面を外部から密封する構成であるとみることもできる。ケース１０を展開したとき、密封部３００は湾入部１００の周縁に形成されてよい。図２に示すように、展開されたケース１０を上から眺めたとき、密封部３００は湾入部１００の周縁を囲むように形成されてよい。図２及び図３に示すように、展開されたケース１０で湾入部１００の垂直断面は、角ばったＵ字形状を有してよい。しかし、これとは異なり、湾入部１００の垂直断面は、多様な形状を有してよい。
【００３４】
一方、図２及び図３に示すように、本発明に係る二次電池用ケース１０には、ケース１０を展開したとき、下方に傾いた面が形成される傾斜部２００が形成されてよい。図２及び図３に示すように、傾斜部２００は、湾入部１００と隣接して備えられてよい。
【００３５】
図２及び図３に示すように、ケース１０を展開したとき、傾斜部２００は、湾入部１００と隣接した領域の反対方向の外側に向かって下方に傾くように形成されてよい。また、傾斜部２００は、湾入部１００の両側に全て形成されてよい。すなわち、ケース１０を展開したとき、傾斜部２００は、湾入部１００の一側と隣接して備えられる第１傾斜部２０２、及び湾入部１００の前記一側と反対方向である他側と隣接して備えられる第２傾斜部２０４を含んでよい。
【００３６】
本発明に係るケース１０に湾入部１００及び傾斜部２００が備えられる場合、ケース１０を展開したとき、密封部３００は、湾入部１００と傾斜部２００の周縁を囲むように形成されてよい。すなわち、図２に示すように、密封部３００は、湾入部１００の境界と隣接して備えられながら、傾斜部２００の境界と隣接して備えられてよい。一方、前述したように、傾斜部２００は下方に傾くように形成され得るため、傾斜部２００と密封部３００との間には段差が形成され得る。
【００３７】
一方、本発明に係る二次電池用ケース１０は、密封部３００が互いに付着されたとき、所定の厚さを有してよい。このとき、ケース１０の厚さは、湾入部１００の幅と同一であってよい。このために、図３に示すように、湾入部１００の両側に傾斜部２００が形成される場合、ケース１０を展開したとき、第１傾斜部２０２と密封部３００との間の段差の高さＤ１と、第２傾斜部２０４と密封部３００との間の段差の高さＤ２の和は、湾入部１００の幅Ｗに対応され得る。例えば、Ｄ１とＤ２の和はＷと同一であってよい。また、Ｄ１とＤ２は互いに同一であってよいが、この場合、Ｄ１とＤ２はそれぞれＷの０．５倍になり得る。
【００３８】
図４は、本発明の第１実施形態による二次電池用ケースにおいて、密封部が互いに付着されたときの密封部及び密封部周辺の姿を示した斜視図である。
【００３９】
図２及び図４に示すように、本発明の第１実施形態によるケース１０の密封部３００の間に互いに付着される場合、密封部３００の一部領域が折り曲げられ得る。本発明の第１実施形態によってケース１０の密封部３００の間に互いに付着される場合、密封部３００で折り曲げられる領域である折曲線Ｌが点線で示されている。
【００４０】
本発明の第１実施形態による二次電池用ケース１０の密封部３００に形成される折曲線Ｌは、第１傾斜部２０２、湾入部１００及び密封部３００が会う地点から外側方向に延びる第１折曲線Ｌ１、及び第２傾斜部２０４、湾入部１００及び密封部３００が会う地点から外側方向に延びる第２折曲線Ｌ２を含んでよい。このとき、図２に示すように、第１折曲線Ｌ１と第２折曲線Ｌ２は互いに会ってよい。第１折曲線Ｌ１と第２折曲線Ｌ２の長さは互いに同一であってよい。
【００４１】
次いで、図２を参考にすれば、本発明の第１実施形態による二次電池用ケース１０の折曲線Ｌは、第１折曲線Ｌ１と第２折曲線Ｌ２が互いに会う地点から外側方向に延びる第３折曲線Ｌ３をさらに含んでよい。また、折曲線Ｌは、第１折曲線Ｌ１、第２折曲線Ｌ２及び第３折曲線Ｌ３が会う地点から第１傾斜部２０２または第２傾斜部２０４に沿って延びる第４折曲線Ｌ４をさらに含んでよい。図２には、第４折曲線Ｌ４が第１傾斜部２０２及び第２傾斜部２０４に沿って延びる場合が示されている。
【００４２】
一方、本発明の第１実施形態によれば、折曲線Ｌは、第４折曲線Ｌ４の端部から傾斜部２００方向に延びる第５折曲線Ｌ５をさらに含んでよい。図２には、第５折曲線Ｌ５が第４折曲線Ｌ４の端部から、密封部３００と傾斜部２００との間の境界のうち尖った隅角地点まで延びた場合が示されている。
【００４３】
本発明の第１実施形態によれば、密封部３００が互いに付着されるとき、ケース１０の密封部に形成された折曲線Ｌが折り曲げられるが、本発明の第１実施形態によってケース１０の密封部３００が互いに付着される場合の密封部及び密封部周辺の姿が図４に示されている。
【００４４】
図４に示すように、本発明の第１実施形態による二次電池用ケース１０の密封部３００が互いに付着される場合、密封部３００は折曲線Ｌ等に沿って折り曲げられ得る。本発明の第１実施形態によれば、第１折曲線Ｌ１、第２折曲線Ｌ２、第３折曲線Ｌ３及び第４折曲線Ｌ４は一地点で会うことができる。一方、第１から第４折曲線は、密封部のうち電極リード２０が突出される領域に形成されてよい。また、第５折曲線Ｌ５は、第４折曲線Ｌ４の端部から内側方向に延びてよい。
【００４５】
このとき、図４に示すように、密封部のうち第４折曲線Ｌ４及び第５折曲線Ｌ５を基準に外側方向に形成された領域は、密封部の他の領域と互いに付着されてよい。このとき、図４に示すように、前記付着された領域を介して電極リード２０が突出されてよい。
【００４６】
その反面、図４に示すように、密封部のうち第４折曲線Ｌ４及び第５折曲線Ｌ５を基準に内側方向に形成された領域は、密封部の他の領域と離隔されてよい。前記離隔された領域の間には空の空間が形成されてよい。すなわち、図４に示すように、本発明の第１実施形態によれば、密封部３００のうち第４折曲線Ｌ４及び第５折曲線Ｌ５を基準に内側方向に形成された領域は、その内部に空いた空間が形成される空間形成部４００を形成してよい。
【００４７】
図２から図４を参考にすれば、本発明の第１実施形態によって製造された二次電池用ケース１０の場合、電極組立体が備えられる領域の幅方向に密封部が突出されることが最小化され得る。特に、図４を参考にすれば、電極組立体が備えられる領域の幅方向に最も多く突出される地点は、第１から第４折曲線（Ｌ１、Ｌ２、Ｌ３、Ｌ４）が互いに会う地点で形成されるが、前記地点でも電極組立体が備えられる領域の幅方向に内側にＩだけ内部に備えられたことを確認することができる。したがって、二次電池で容量に寄与しないデッドスペース（ｄｅａｄ  ｓｐａｃｅ）が発生することを最小化し、結果として、二次電池のエネルギー密度を増大させることができる。
【００４８】
図５は、本発明の第２実施形態による二次電池用ケースを展開したときの姿を示した斜視図であり、図６は、図５のＢ−Ｂ線に沿って切断された二次電池用ケースの姿を示した断面図である。
【００４９】
本発明の第１実施形態による二次電池用ケースの湾入部、第１傾斜部と第２傾斜部を含む傾斜部、及び密封部に対する内容は、本発明の第２実施形態による二次電池用ケースにもそのまま適用され得る。下記では、本発明の第１実施形態による二次電池用ケースと異なる点を中心に、本発明の第２実施形態による二次電池用ケースの構造を説明する。すなわち、下記で説明される内容と矛盾しない範囲内で、前記で説明された本発明の第１実施形態による二次電池用ケースに対する内容は、本発明の第２実施形態による二次電池用ケースにもそのまま適用され得る。
【００５０】
図５に示すように、本発明の第２実施形態による二次電池用ケース１０を展開したとき、密封部３００には、湾入部１００が湾入する方向と同一の方向に湾入している密封湾入部３０２が形成されてよい。このとき、図５に示すように、密封湾入部３０２は、密封部３００のうち湾入部１００と隣接する領域に形成されてよく、密封湾入部３０２は、湾入部１００と並んで形成されてよい。
【００５１】
図６に示すように、密封湾入部３０２は、所定の幅Ｗ１を有することができる。このとき、密封湾入部３０２の幅Ｗ１は、密封湾入部３０２が下方に湾入し始める地点（すなわち、密封湾入部の最上端）での幅と定義され得る。一方、密封湾入部３０２の幅Ｗ１は、湾入部１００の幅Ｗ（図３参照）に対応され得る。例えば、密封湾入部３０２の幅は、湾入部１００の幅と同一であってよい。
【００５２】
次いで、図５及び図６を参考にすれば、本発明の第２実施形態による二次電池用ケース１０で密封湾入部３０２は、第１湾入面３０２ａ及び第２湾入面３０２ｂを含んでよい。図５に示すように、第１湾入面３０２ａ及び第２湾入面３０２ｂは、それぞれ湾入部１００と隣接して備えられてよい。
【００５３】
また、第１湾入面３０２ａと第２湾入面３０２ｂは、それぞれ互いに向かって下方に傾くように形成されてよい。したがって、第１湾入面３０２ａと第２湾入面３０２ｂは、下部端部で互いに会うことによりＶ字形状を形成してよい。すなわち、図６に示すように、本発明の第２実施形態によれば、密封湾入部３０２の垂直断面は、Ｖ字形状を有してよい。
【００５４】
図７は、本発明の第２実施形態による二次電池用ケースにおいて、密封部が互いに付着されたときの密封部及び密封部周辺の姿を示した斜視図である。
【００５５】
本発明の第１実施形態の場合と同様に、本発明の第２実施形態においても、密封部３００には、密封部３００が折り曲げられる線である折曲線Ｌ’が形成されてよい。すなわち、図５及び図７に示すように、本発明の第２実施形態によるケース１０の密封部３００の間に互いに付着される場合、密封部３００の一部領域が折り曲げられ得る。本発明の第２実施形態によってケース１０の密封部３００の間に互いに付着される場合、密封部３００で折り曲げられる領域である折曲線Ｌ’が点線で示されている。
【００５６】
図５に示すように、本発明の第２実施形態による二次電池用ケース１０の密封部３００に形成される折曲線Ｌ’は、第１湾入面３０２ａと、密封部３００のうち第１傾斜部２０２と隣接した領域との境界に形成される第１折曲線Ｌ’１、及び第２湾入面３０２ｂと、密封部３００のうち第２傾斜部２０４と隣接した領域との境界に形成される第２折曲線Ｌ’２を含んでよい。このとき、本発明の第１実施形態とは異なり、本発明の第２実施形態では、図５に示すように、第１折曲線Ｌ’１と第２折曲線Ｌ’２が互いに離隔されていてよい。
【００５７】
次いで、図５を参考にすれば、本発明の第２実施形態による二次電池用ケース１０の折曲線Ｌ’は、第１湾入面３０２ａと第２湾入面３０２ｂの境界に形成される第３折曲線Ｌ’３をさらに含んでよい。
【００５８】
また、折曲線Ｌ’は、第３折曲線Ｌ’３の一地点から第１傾斜部２０２及び第２傾斜部２０４に沿って両方向に延びる第４折曲線Ｌ’４をさらに含んでよい。図５には、第４折曲線Ｌ’４が第１傾斜部２０２及び第２傾斜部２０４に沿って延びる場合が示されている。
【００５９】
一方、本発明の第２実施形態によれば、折曲線Ｌ’は、第４折曲線Ｌ’４の端部から傾斜部２００方向に延びる第５折曲線Ｌ’５をさらに含んでよい。図５には、第５折曲線Ｌ’５が第４折曲線Ｌ’４の端部から、密封部３００と傾斜部２００との間の境界のうち尖った隅角地点まで延びた場合が示されている。
【００６０】
本発明の第１実施形態の場合と類似に、本発明の第２実施形態によれば、密封部３００が互いに付着されるとき、ケース１０の密封部に形成された折曲線Ｌ’が折り曲げられるが、本発明の第２実施形態によってケース１０の密封部３００が互いに付着される場合の密封部及び密封部周辺の姿が図７に示されている。
【００６１】
図７に示すように、本発明の第２実施形態による二次電池用ケース１０の密封部３００が互いに付着される場合、密封部３００は、折曲線Ｌ’等に沿って折り曲げられ得る。本発明の第２実施形態によれば、第１折曲線Ｌ’１と第４折曲線Ｌ’４は一地点で会うことができ、第２折曲線Ｌ’２（図７には図示せず）と第４折曲線Ｌ４は一地点で会うことができ、第３折曲線Ｌ’３と第４折曲線Ｌ’４も一地点で会うことができる。
【００６２】
一方、本発明の第１実施形態と同様に、本発明の第２実施形態においても、第１から第４折曲線は、密封部のうち電極リード２０が突出される領域に形成されてよい。また、第５折曲線Ｌ’５は、第４折曲線Ｌ’４の端部から内側方向に延びてよい。
【００６３】
このとき、図７に示すように、密封部のうち第４折曲線Ｌ’４及び第５折曲線Ｌ’５を基準に外側方向に形成された領域は、密封部の他の領域と互いに付着されてよい。このとき、図７に示すように、前記付着された領域を介して電極リード２０が突出されてよい。
【００６４】
その反面、図７に示すように、密封部のうち第４折曲線Ｌ’４及び第５折曲線Ｌ’５を基準に内側方向に形成された領域は、密封部の他の領域と離隔され得る。前記離隔された領域の間には空いた空間が形成され得る。すなわち、図７に示すように、本発明の第２実施形態によれば、密封部３００のうち第４折曲線Ｌ’４及び第５折曲線Ｌ’５を基準に内側方向に形成された領域は、その内部に空いた空間が形成される空間形成部４００を形成することができる。
【００６５】
図５から図７を参考にすれば、本発明の第２実施形態によって製造された二次電池用ケース１０の場合にも、電極組立体が備えられる領域の幅方向に密封部が突出されることが最小化され得る。特に、図７を参考にすれば、電極組立体が備えられる領域の幅方向に最も多く突出される地点は、第３折曲線Ｌ’３と第４折曲線Ｌ’４が互いに会う地点で形成されるが、前記地点でも電極組立体が備えられる領域の幅方向に内側にＩだけ内部に備えられたことが確認できる。したがって、本発明の第２実施形態の場合にも、二次電池で容量に寄与しないデッドスペース（ｄｅａｄ  ｓｐａｃｅ）が発生することを最小化し、結果として、二次電池のエネルギー密度を増大させることができる。
【００６６】
図８は、本発明の第３実施形態による二次電池用ケースを展開したときの姿を示した斜視図であり、図９は、図８のＣ−Ｃ線に沿って切断された二次電池用ケースの姿を示した断面図である。
【００６７】
本発明の第１実施形態による二次電池用ケースの湾入部、第１傾斜部と第２傾斜部を含む傾斜部、及び密封部に対する内容は、本発明の第３実施形態による二次電池用ケースにもそのまま適用され得る。下記では、本発明の第１実施形態による二次電池用ケースと異なる点を中心に、本発明の第３実施形態による二次電池用ケースの構造を説明する。すなわち、下記で説明される内容と矛盾しない範囲内で前記で説明された本発明の第１実施形態による二次電池用ケースに対する内容は、本発明の第３実施形態による二次電池用ケースにもそのまま適用され得る。
【００６８】
図８に示すように、本発明の第３実施形態による二次電池用ケース１０を展開したとき、密封部３００には湾入部１００が湾入する方向と同一の方向に湾入している密封湾入部３０２が形成されてよい。このとき、図８に示すように、密封湾入部３０２は、密封部３００のうち湾入部１００と隣接する領域に形成されてよく、密封湾入部３０２は、湾入部１００と並んで形成されてよい。
【００６９】
次いで、図８及び図９を参考にすれば、本発明の第３実施形態による二次電池用ケース１０で密封湾入部３０２は、第３湾入面３０２ｃ及び第４湾入面３０２ｄを含んでよい。図８に示すように、第３湾入面３０２ｃ及び第４湾入面３０２ｄは、それぞれ湾入部１００と隣接して備えられてよい。
【００７０】
また、本発明の第２実施形態の場合と類似に、本発明の第３実施形態の場合にも、第３湾入面３０２ｃと第４湾入面３０２ｄは、それぞれ互いに向かって下方に傾くように形成されてよい。したがって、第３湾入面３０２ｃと第４湾入面３０２ｄは、下部端部で互いに会うことによりＶ字形状を形成してよい。すなわち、本発明の第２実施形態の場合と類似に、本発明の第３実施形態による密封湾入部３０２の垂直断面は、Ｖ字形状を有してよい。
【００７１】
しかし、本発明の第２実施形態とは異なり、本発明の第３実施形態では、ケースを展開した後、図８のＣ−Ｃ方向に切断すると、密封湾入部３０２は傾いた領域と平らな領域に区分され得る。すなわち、図８及び図９に示すように、本発明の第３実施形態によれば、密封湾入部３０２の第３湾入面３０２ｃは、湾入部１００から第４湾入面３０２ｄに向かっては下方に傾くように形成されながら、密封部３００の外側方向に向かっては上方に傾くように形成される第１傾斜湾入面３０２ｃ’を含んでよく、第４湾入面３０２ｄに向かっては下方に傾くように形成されながら、第１傾斜湾入面３０２ｃ’から前記密封部３００の外側方向に向かっては平らに延びて形成される第２傾斜湾入面３０２ｃ”をさらに含んでよい。また、本発明の第３実施形態によれば、密封湾入部３０２の第４湾入面３０２ｄは、湾入部１００から第３湾入面３０２ｃに向かっては下方に傾くように形成されながら、密封部３００の外側方向に向かっては上方に傾くように形成される第３傾斜湾入面を含んでよく、第３湾入面３０２ｃに向かっては下方に傾くように形成されながら、第３傾斜湾入面から前記密封部３００の外側方向に向かっては平らに延びて形成される第４傾斜湾入面をさらに含んでよい。
【００７２】
図１０は、本発明の第３実施形態による二次電池用ケースにおいて、密封部が互いに付着されたときの密封部及び密封部周辺の姿を示した斜視図である。
【００７３】
本発明の第１実施形態の場合と同様に、本発明の第３実施形態においても、密封部３００には密封部３００が折り曲げられる線である折曲線Ｌ”が形成されてよい。すなわち、図８及び図１０に示すように、本発明の第２実施形態によるケース１０の密封部３００の間に互いに付着される場合、密封部３００の一部領域が折り曲げられ得る。本発明の第３実施形態によってケース１０の密封部３００の間に互いに付着される場合、密封部３００で折り曲げられる領域である折曲線Ｌ”が点線で示されている。
【００７４】
図８に示すように、本発明の第３実施形態による二次電池用ケース１０の密封部３００に形成される折曲線Ｌ”は、第３湾入面３０２ｃと、密封部３００のうち第１傾斜部２０２と隣接した領域との境界に形成される第１折曲線Ｌ”１、及び第４湾入面３０２ｄと、密封部３００のうち第２傾斜部２０４と隣接した領域との境界に形成される第２折曲線Ｌ”２を含んでよい。このとき、本発明の第２実施形態の場合と同様に、本発明の第３実施形態においても、図８に示すように、第１折曲線Ｌ”１と第２折曲線Ｌ”２が互いに離隔され得る。
【００７５】
次いで、図８を参考にすれば、本発明の第３実施形態による二次電池用ケース１０の折曲線Ｌ”は、第３湾入面３０２ｃと第４湾入面３０２ｄの境界に形成される第３折曲線Ｌ”３をさらに含んでよい。
【００７６】
また、折曲線Ｌ”は、第３折曲線Ｌ”３の一地点から第１傾斜部２０２及び第２傾斜部２０４に沿って両方向に延びる第４折曲線Ｌ”４をさらに含んでよい。図８には、第４折曲線Ｌ”４が第１傾斜部２０２及び第２傾斜部２０４に沿って延びる場合が示されている。
【００７７】
一方、本発明の第３実施形態によれば、折曲線Ｌ”は、第４折曲線Ｌ”４の端部から傾斜部２００方向に延びる第５折曲線Ｌ”５をさらに含んでよい。図８には、第５折曲線Ｌ”５が第４折曲線Ｌ”４の端部から、密封部３００と傾斜部２００との間の境界のうち尖った隅角地点まで延びた場合が示されている。
【００７８】
本発明の第１実施形態の場合と類似に、本発明の第３実施形態によれば、密封部３００が互いに付着されるとき、ケース１０の密封部に形成された折曲線Ｌ”が折り曲げられるが、本発明の第３実施形態によってケース１０の密封部３００が互いに付着される場合の密封部及び密封部周辺の姿が図１０に示されている。
【００７９】
図１０に示すように、本発明の第３実施形態による二次電池用ケース１０の密封部３００が互いに付着される場合、密封部３００は折曲線Ｌ”等に沿って折り曲げられ得る。本発明の第３実施形態によれば、第１折曲線Ｌ”１と第４折曲線Ｌ”４は一地点で会うことができ、第２折曲線Ｌ”２（図１０には図示せず）と第４折曲線Ｌ”４は一地点で会うことができ、第３折曲線Ｌ”３と第４折曲線Ｌ”４も一地点で会うことができる。
【００８０】
一方、本発明の第１実施形態と同様に、本発明の第３実施形態でも第１から第４折曲線は、密封部のうち電極リード２０が突出される領域に形成されてよい。また、第５折曲線Ｌ”５は、第４折曲線Ｌ”４の端部から内側方向に延びてよい。
【００８１】
このとき、図１０に示すように、密封部のうち第４折曲線Ｌ”４及び第５折曲線Ｌ”５を基準に外側方向に形成された領域は、密封部の他の領域と互いに付着されてよい。このとき、図１０に示すように、前記付着された領域を介して電極リード２０が突出されてよい。
【００８２】
その反面、図１０に示すように、密封部のうち第４折曲線Ｌ”４及び第５折曲線Ｌ”５を基準に内側方向に形成された領域は、密封部の他の領域と離隔され得る。前記離隔された領域の間には空いた空間が形成され得る。すなわち、図１０に示すように、本発明の第３実施形態によれば、密封部３００のうち第４折曲線Ｌ”４及び第５折曲線Ｌ”５を基準に内側方向に形成された領域は、その内部に空いた空間が形成される空間形成部４００を形成することができる。
【００８３】
図８から図１０を参考にすれば、本発明の第２実施形態によって製造された二次電池用ケース１０の場合にも、電極組立体が備えられる領域の幅方向に密封部が突出されることが最小化され得る。特に、図１０を参考にすれば、電極組立体が備えられる領域の幅方向に最も多く突出される地点は、第３折曲線Ｌ”３と第４折曲線Ｌ”４が互いに会う地点で形成されるが、前記地点でも電極組立体が備えられる領域の幅方向に内側にＩだけ内部に備えられたことが確認できる。したがって、本発明の第３実施形態の場合においても、二次電池で容量に寄与しないデッドスペース（ｄｅａｄ  ｓｐａｃｅ）が発生することを最小化し、結果として、二次電池のエネルギー密度を増大させることができる。
【００８４】
図１１は、本発明に係る二次電池用ケースの第１変形例を示した断面図である。
【００８５】
本発明に係る二次電池用ケース１０で傾斜部２００は、湾入部１００の一側にのみ形成されてもよい。すなわち、本発明に係る二次電池用ケースの第１変形例によれば、ケース１０を展開したとき、傾斜部２００は湾入部１００の一側に備えられ、平らな面が形成される平面部２５０が湾入部１００の他側に備えられてよい。この場合、傾斜部２００と密封部３００との間の段差の高さＤは、湾入部１００の幅Ｗに対応され得る。例えば、ＤはＷと同一であってよい。
【００８６】
図１２は、本発明に係る二次電池用ケースの第２変形例を示した断面図である。
【００８７】
本発明に係る二次電池用ケースの第２変形例によれば、ケース１０を展開したとき、湾入部１００の両側にはそれぞれ傾いた領域と平らな領域が共に形成されてよい。すなわち、図１２に示すように、本発明の第２変形例による二次電池用ケース１０で湾入部１００の両側には、それぞれ傾斜部２００、及び傾斜部２００と湾入部１００との間に備えられ、平らな面が形成される平面部２５０が形成されてよい。
【００８８】
一方、本発明に係る二次電池は、電極組立体及び電極組立体を収容する二次電池用ケースを含んでよい。二次電池用ケースに対する説明は、前述した内容に代える。
【００８９】
以上で本発明は、たとえ限定された実施形態と図面によって説明されたとしても、本発明はこれによって限定されず、本発明の属する技術分野で通常の知識を有する者によって本発明の技術思想と下記に記載される特許請求の範囲の均等範囲内で多様な実施が可能であるのは勿論である。
【符号の説明】
【００９０】
１  パウチ型二次電池
２  パウチ
３  密封部
１０  ケース
２０  電極リード
１００  湾入部
２００  傾斜部
２０２  第１傾斜部
２０４  第２傾斜部
２５０  平面部
３００  密封部
３０２  密封湾入部
３０２ａ  第１湾入面
３０２ｂ  第２湾入面
３０２ｃ  第３湾入面
３０２ｃ’  第１傾斜湾入面
３０２ｃ”  第２傾斜湾入面
３０２ｄ  第４湾入面
４００  空間形成部
Ｌ’  折曲線
Ｌ’１  第１折曲線
Ｌ’２  第２折曲線
Ｌ’３  第３折曲線
Ｌ’４  第４折曲線
Ｌ１  第１折曲線
Ｌ２  第２折曲線
Ｌ３  第３折曲線
Ｌ４  第４折曲線
Ｗ  幅
Ｗ１  幅
【図１】
2021518978.tif 000003
【図２】
2021518978.tif 000004
【図３】
2021518978.tif 000005
【図４】
2021518978.tif 000006
【図５】
2021518978.tif 000007
【図６】
2021518978.tif 000008
【図７】
2021518978.tif 000009
【図８】
2021518978.tif 000010
【図９】
2021518978.tif 000011
【図１０】
2021518978.tif 000012
【図１１】
2021518978.tif 000013
【図１２】
2021518978.tif 000014
【国際調査報告】
2021518978.tif 000015
2021518978.tif 000016
2021518978.tif 000017
2021518978.tif 000018